(57)【要約】【課題】  画像読み取り手段と画像記録手段を有する画像処理装置において、再利用可能なオーダーシートを提供し、資源と時間の無駄を省き、効率的な画像処理を行なえるようにする。【解決手段】  画像記録手段とともに画像読み取り部１を有するＭＦＰ４００において、記録出力すべき画像データを画像読み取り部１から読み取らせたオーダシートの記載情報により特定するに際し、記録出力可能な画像のサムネイル画像を配置したオーダーシートＡと、サムネイル画像との対応付けが可能な形式でサムネイル画像に対応する画像データを指定するためのマークシート欄を配置したオーダーシートＢを記録出力し、オーダーシートＡ、およびユーザがマークを行なったオーダーシートＢを画像読み取り部１により読み取り、読み取られたオーダーシートＢの画像中のマークシート欄のマークを解析した結果に基づき特定された画像データを画像記録手段により記録出力する。【選択図】  図６
2006167930.tif 000002
【特許請求の範囲】
【請求項１】
画像読み取り手段と画像記録手段を有する画像処理装置において前記画像記録手段により記録出力すべき画像データを前記画像読み取り手段から読み取らせたオーダシートの記載情報により特定する画像処理方法において、
記録出力可能な画像のサムネイル画像を配置した第１のオーダーシートと、前記サムネイル画像との対応付けが可能な形式で前記サムネイル画像に対応する画像データを指定するためのマークシート欄を配置した第２のオーダーシートを前記画像記録手段により記録出力し、
前記第１のオーダーシート、およびユーザが前記マークシート欄にマークを行なった第２のオーダーシートを前記画像読み取り手段により読み取り、
読み取られた前記第２のオーダーシートの画像中の前記マークシート欄のマークを解析した結果に基づき特定された画像データを前記画像記録手段により記録出力することを特徴とする画像処理方法。
【請求項２】
請求項１に記載の画像処理方法において、前記第１のオーダーシートには、前回の前記第１のオーダーシートの記録出力日時よりも新しい画像データのサムネイル画像を記録出力することを特徴とする画像処理方法。
【請求項３】
請求項１に記載の画像処理方法において、前記第１のオーダーシートには、前記サムネイル画像とともに、当該サムネイル画像に対応する画像データを一意に特定可能なＩＤ情報を記録し、このＩＤ情報から記録すべき画像データを記憶手段中から検索することを特徴とする画像処理方法。
【請求項４】
請求項３に記載の画像処理方法において、前記ＩＤ情報がバーコード形式で前記第１のオーダーシートに記録されることを特徴とする画像処理方法。
【請求項５】
請求項１〜４のいずれか１項に記載の画像処理方法を実施する、前記画像記録手段および前記画像読み取り手段を有することを特徴とする画像処理装置。
【請求項６】
請求項１〜４のいずれか１項に記載の画像処理方法を実施すべく、前記画像記録手段および前記画像読み取り手段を制御することを特徴とする画像処理装置の制御プログラム。
【発明の詳細な説明】
【技術分野】
【０００１】
本発明は、画像記録手段により記録出力すべき画像データを画像読み取り手段から読み取らせたオーダシートの記載情報により特定するための画像処理方法、画像処理装置、および画像処理装置の制御プログラムに関するものである。
【背景技術】
【０００２】
近年、画像読み取り部（スキャナ部）と画像記録部（プリンタ部）を有し、単体でコピーを取ったり、ホストコンピュータなどを必要とせず装置単体でデジタルカメラから入力した画像データをプリントすることができるマルチファンクションプリンタ装置（以下ＭＦＰとも記す）が広く普及している。
【０００３】
このようなＭＦＰ、特に、スキャナを有するＭＦＰにおいて、いわゆるオーダーシートを用いて簡易な操作で多数ある画像データの中から任意の画像を指定して任意の枚数プリントを行なえるようにした仕組みが知られている（たとえば下記の特許文献１）。
【０００４】
この種のオーダーシートを用いた印刷は以下のような手順で行なわれる。
【０００５】
（１）図１のように、装置に装着された記録メディアに記録されたデジタルカメラの撮影画像データのサムネイル１０２、各サムネイル１０２をマーク形式で指定できるマークシート欄１０１（あるいはさらに画像ＩＤ１０３）を一組として、複数組並べてオーダーシートとしてプリントする。
【０００６】
（２）ユーザがオーダーシートのマークシート欄１０１に鉛筆などによりマークを行ない、どの画像を何枚プリントするかの指定を行なう。
【０００７】
（３）オーダーシートをＭＦＰのスキャナで読み取らせ、ユーザが付したマークを認識させ、マークされた画像が記録メディア内のどの画像データであるかを認識し、その画像データを指定した枚数分プリントする。
【０００８】
図１のようにマーク（マークシート欄１０１の黒丸）された場合は、画像ＩＤ１００−０００１の画像が１枚、画像ＩＤ１００−０００５の画像が２枚、画像ＩＤ１００−００１１の画像が２枚プリントされる。
【特許文献１】特開２００２−３０５７０１号公報
【発明の開示】
【発明が解決しようとする課題】
【０００９】
図１のようなオーダーシートは、ユーザがいったんマークを行ったあとは再利用が困難であるため使い捨てになってしまう。すなわち、ユーザが前回と同じ撮影画像をプリントしたいと考えた場合でも、同じオーダーシートを再びプリントする必要があり、資源と時間の浪費につながる。
【００１０】
また、ユーザが、記録メディアに保存された画像全部から、プリントしたいと望む画像を選んで指定するためには、記録メディア内の全ての画像データのサムネイルをオーダーシートとしてプリントする必要があるが、記録メディアに入っている画像の枚数が非常に多い場合は、オーダーシートの枚数もそれに比例して多くなってしまい、資源と時間の浪費もそれに応じて多くなるという問題がある。
【００１１】
本発明の課題は上記の問題を解決し、画像読み取り手段と画像記録手段を有する画像処理装置において、再利用可能なオーダーシートを提供し、資源と時間の無駄を省き、効率的な画像処理を行なえるようにすることにある。
【課題を解決するための手段】
【００１２】
上記課題を解決するため、本発明においては、画像記録手段により記録出力すべき画像データを画像読み取り手段から読み取らせたオーダシートの記載情報により特定するための画像処理方法、画像処理装置、および画像処理装置の制御プログラムにおいて、
記録出力可能な画像のサムネイル画像を配置した第１のオーダーシートと、前記サムネイル画像との対応付けが可能な形式で前記サムネイル画像に対応する画像データを指定するためのマークシート欄を配置した第２のオーダーシートを前記画像記録手段により記録出力し、
前記第１のオーダーシート、およびユーザが前記マークシート欄にマークを行なった前記第２のオーダーシートを前記画像読み取り手段により読み取り、
読み取られた前記第２のオーダーシートの画像中の前記マークシート欄のマークを解析した結果に基づき特定された画像データを前記画像記録手段により記録出力する構成を採用した。
【発明の効果】
【００１３】
上記構成によれば、サムネイル画像を記録した第１のオーダーシートと、ユーザがマークするマークシート欄を有する第２のオーダーシートを別々に印刷するようにしており、第１のオーダーシートにはマークが行なわれないのでこの第１のオーダーシートは繰り返し再利用でき、第２のオーダーシートのみを記録出力して第１のオーダーシートとともに読み取らせるだけで記録出力すべき画像データを容易に特定することができる。
【発明を実施するための最良の形態】
【００１４】
以下、画像読み取り手段とプリンタ手段の双方を組み込まれたＭＦＰに関する実施例を示す。
【実施例１】
【００１５】
図３は本発明を採用したＭＦＰの構成を示している。同図において、符号１は原画像をスキャンして、ラスタ順次のデジタルＲＧＢ画像データに変換する画像読み取り部（スキャナ）、２は画像読み取り部１で作成された画像データを一時的に格納したり、ＣＰＵの扱う各種情報を格納したりするメモリ、３はシステム全体の動作を制御するＣＰＵである。
【００１６】
符号４は、画像読み取り部１で作成された画像データや、画像格納部５に格納されている画像データを、カラーまたはモノクロで印字するプリンタ（画像記録部）である。プリンタ４は、インクジェット記録方式や、電子写真方式のプリンタエンジンを用いて構成される。
【００１７】
符号５は、記録メディア６からコピーした画像データを多数格納することができる画像格納部である。この画像格納部５はハードディスク装置などの外部記憶装置から構成される。
【００１８】
符号６は、デジタルデータを記録することのできる記録メディアである。記録メディア６の構成／記録フォーマットは任意であり、公知のＣＦカードやＳＤカードなどの規格を利用できる。記録メディア６は他のデバイス、たとえばデジタルカメラと共用することができるような汎用型のものであるのが好ましい。
【００１９】
符号７は、記録メディア６を装着するスロットで、ＣＰＵ３はこのスロット７経由で記録メディア６に対してデジタル画像データの読み書きを行なうことができる。
【００２０】
符号８は、ビットマップ画像データの表示が可能な表示部、９はユーザが本装置の操作をカーソルキーなどを用いて行なう操作部である。上記の符号１〜９の各部は、システムバスによって相互に接続されている。
【００２１】
本実施例では、画像格納部５（あるいは記録メディア６）の画像データを印刷するに際して、図２（ａ）〜（ｃ）に示すようなオーダーシートを用いる。
【００２２】
図２（ａ）はサムネイル表示用のオーダーシートＡを、図２（ｂ）はマーク指定用のオーダーシートＢを示している。
【００２３】
図２（ａ）のサムネイル表示用のオーダーシートＡは、各画像のサムネイル２０２とともに、ＩＤバーコード２０１、識別番号２０３（たとえばＩＤバーコードの情報と同一内容の可読情報）を付したもので、操作部９を介して行なわれるユーザの所定操作に応じて画像格納部５（あるいは記録メディア６）の画像データに基づき図示のようなフォーマットでプリンタ４によりあらかじめ印刷させる。図２（ａ）のサムネイル表示用のオーダーシートＡは、図１の従来のものと同様に縦３、横４の計１２フレーム分のサムネイル／ＩＤバーコード／識別番号を印刷してあるが、本実施例の場合、マークシート欄が無い点に特徴がある。
【００２４】
一方、図２（ｂ）のマーク指定用のオーダーシートＢは、操作部９を介して行なわれるユーザの所定操作に応じて、（あるいは図２（ａ）のサムネイル表示用のオーダーシートＡの印刷と同時に）印刷出力する。マーク指定用のオーダーシートＢは、従来のオーダーシートの（主に）マークシート欄を別紙に独立させたものである。図２（ｂ）のマーク指定用のオーダーシートＢは、枚数指定のためのマークシート欄２０５がサムネイル表示用のオーダーシートＡの縦３、横４の計１２フレームのサムネイル／ＩＤバーコード／識別番号にほぼ対応する紙面上の位置に並ぶように印刷したものである。図１の場合と同様の印刷指定を行なう場合には、図２（ｃ）に示すようにマーク指定用のオーダーシートＢのマークシート欄２０５に対して鉛筆などを用いてマーク（図中の黒丸）を行なう。
【００２５】
図２（ａ）のオーダーシートＡ、およびマーク済みの図２（ｃ）のオーダーシートＢの２枚を同時に装置の画像読み取り部１で読み取らせることにより、ユーザがプリントしたいと望む画像の指定を、従来のオーダーシートと同様の操作で行なうことができる。
【００２６】
図２（ａ）のオーダーシートＡは、いったんプリントしたあとは保存して再利用することが可能なので、次に同じシートに含まれる画像をプリント指定する際に資源や時間の浪費が起きず、また、図２（ｂ）のオーダーシートＢはサムネイルが含まれないので、いつでも何枚でもプリントすることができる。
【００２７】
さらに、本実施例では、オーダーシートＡのサムネイル２０２の画像とオーダーシートＢとマークシート欄２０５の関係づけは紙面上の位置によって行なわれているので、もし、オーダーシートＡのサムネイル／ＩＤバーコード／識別番号の印刷位置が１種類に決まっているのであれば、オーダーシートＡ（の画像）が変っても、オーダーシートＢのフォーマットは変更することなく、ただ１種類のオーダーシートＢを汎用的に使用することができる。
【００２８】
図４のフローチャートに、記録メディア６に記録された画像データからオーダーシートＡをプリントする際の制御を示す。図示の手順はＣＰＵ３のプログラムとして、メモリ２のＲＯＭ部（あるいは画像格納部５を構成するＨＤＤなど）にあらかじめ格納しておく。以下、図４の各ステップにつき説明する。
【００２９】
ステップＳ４０１：  ユーザは撮影画像を記録した記録メディア６を装置のスロット７に装着する。
【００３０】
ステップＳ４０２：  ユーザは操作部９を用いて、オーダーシートＡの印刷を指示する。
【００３１】
ステップＳ４０３：  ＣＰＵ３は、記録メディア６の内容を調べ、前回にオーダーシートＡをプリントした時刻以降に作成された画像ファイルを抽出する（あるいは、今回オーダーシートＡに出力する画像ファイルを逐一ユーザが指定／抽出できるユーザーインターフェースが設けられていてもよい）。
【００３２】
ステップＳ４０４：  ＣＰＵ３は、ステップＳ４０３で抽出された各々の撮影画像ファイル（新規ファイル）に対して、１から順に識別番号（図２（ａ）の識別番号２０３として用いるもの）を付与する。
【００３３】
ステップＳ４０５：  ＣＰＵ３は、オーダーシートＡに出力すべく抽出した画像ファイル（以下、新規画像ファイルと記す）の各々に関して、画像のＩＤ（図２（ａ）のＩＤバーコード２０１として用いるもの）を生成する。このＩＤは、各ファイルごとに、ファイルのＣＲＣ（Ｃｙｃｒｉｃ  Ｒｅｄｕｎｄａｎｃｙ  Ｃｈｅｃｋ）などを用いて、画像に対して一意なものを生成する。
【００３４】
ステップＳ４０６：  ＣＰＵ３は新規ファイルの各々を、装置の画像格納部５へコピーする。
【００３５】
ステップＳ４０７：  ＣＰＵ３は、画像格納部５へコピーされた各新規ファイルのファイルパス（記録メディアのファイルシステム上でのファイル名）と、そのファイルのＩＤとを関連付けたＩＤテーブルを作成して、装置のメモリ２内に格納しておく。
【００３６】
ステップＳ４０８：  ＣＰＵ３は、ステップＳ４０５で作成された各新規ファイルについて、そのファイルのＩＤから、既知の手法でバーコード（ＩＤバーコード）を作成する。ＩＤバーコードはＩＤと１対１に対応するものとし、ＩＤバーコード画像とＩＤへの変換は相互に行なえるものとする。
【００３７】
ステップＳ４０９：  ＣＰＵ３は同じく各新規ファイルに対して縮小画像（サムネイル）を生成する。
【００３８】
ステップＳ４１０：  ＣＰＵ３は、ステップＳ４０４で作成した識別番号（図２（ａ）の２０３）、ステップＳ４０９で作成したサムネイル（同２０２）、およびステップＳ４０８で作成したＩＤバーコード（同２０１）を、図２（ａ）のように配置し、オーダーシートＡとしてプリントする。また、このとき同時にオーダーシートＡの記録出力日時（不図示のシステムタイマなどから取得した時刻情報）をメモリ２（あるいは他の記憶手段）に記録しておく。この記録出力日時は、上記のステップＳ４０３で新規画像ファイルを抽出する際に、画像ファイルの最終変更日時情報（あるいは画像ファイルに記録されている撮影情報など）と比較するために用いる（ただし、画像ファイルの日時情報が記録されないようなシステムで新規ファイルを抽出するためには、オーダーシートＡに出力した画像ファイル名のデータベースを記録しておく、などの他の手段が必要である）。
【００３９】
このように、本実施例では、オーダーシートＡは再利用を前提とし、（原則的には）新しい画像ファイルに対応するもののみを記録するようにしているので、重複してオーダーシートを出力することがなく、用紙やインクなどの資源を節約することができる。
【００４０】
本実施例では、１枚のオーダーシートにプリントされるサムネイル画像は図２（ａ）のように１２枚とする。各サムネイルには、１〜１２の識別番号のうちひとつが振られていることになる。
【００４１】
また、オーダーシートＡとは別に、オーダーシートＢをユーザの操作によりプリントする。オーダーシートＢは、図２（ｂ）に示すように、オーダーシートＡの各サムネイルに対応した識別番号（２０３）と、その番号ごとに、プリントすべき枚数をマークシート形式で指定できるマークシート欄（２０５）を配置したものである。このシートの内容は、オーダーシートＡの内容に依存しないため、いつでも何度でもプリントすることができる。
【００４２】
なお、オーダーシートＡとオーダーシートＢの有効領域を合わせたサイズは、図６に示すように画像読み取り部１でこれら２枚を同時に読めるように、画像読み取り部１で読み取れるサイズ（たとえばＡ４やＢ４サイズ）より小さくなるようにあらかじめ決めておく。図６はオーダーシートＡおよびオーダーシートＢの読み取り（後述のステップＳ５０３参照）の様子を示したもので、図６のＭＦＰ４００は図３の制御系を有するＭＦＰであり、図３中のブロックに対応する部材には同一符号を用いている。
【００４３】
次に、本実施例の装置がプリントしたオーダーシートＡの中にサムネイルがある画像の中から、ユーザが望みの画像を選択し、枚数を指定して、装置がその画像のプリントを行なうまでの印刷制御を図５のフローチャートを用いて説明する。このとき、オーダーシートＡおよびオーダーシートＢはあらかじめプリントされているものとする。
【００４４】
ステップＳ５０１：  オーダーシートＡのサムネイルの中から、ユーザがプリントしたい画像を選択する。
【００４５】
ステップＳ５０２：  ユーザはオーダーシートＢの中から、ステップＳ５０１で選択した画像と同じ識別番号を持つ欄を選び、ステップＳ５０１で選択した画像をプリントしたい枚数のマーク箇所を図２（ｃ）のようにマークする。もちろん、プリントを意図しない画像に関してはマークを行なわない。図２（ｃ）の例では、識別番号５，９の画像を各２枚、識別番号１の画像を１枚プリントするように指定したことになる。
【００４６】
ステップＳ５０３：  ユーザは、オーダーシートＡとオーダーシートＢを、図６に示すように装置の画像読み取り部１上に（図示のようなフラットベッド形式の画像読み取り部では画像面が下に向くように裏向きで）並べて置く。
【００４７】
ステップＳ５０４：  ユーザが操作部９の所定のキー（たとえば「スキャン」のようなキー／ボタン、もちろん表示部８を用いた適当なＧＵＩを介して等価なユーザ操作が行なわれるようになっていてよい）を押下し、装置がオーダーシートＡとオーダーシートＢを同時に読み取る。
【００４８】
ステップＳ５０５：  ＣＰＵ３は、ステップＳ５０４で得た画像データのオーダーシートＡ部にある各サムネイルの下のバーコード画像（２０１）を認識し、識別番号ｋ（１≦ｋ≦１２）ごとの画像ＩＤ：ｉｄ［ｋ］を得る。本実施例では、このように、バーコードを用いてオーダーシートＡから画像ＩＤを抽出し、画像ファイルを特定するようにしているので、画像ファイルの特定処理を迅速かつ確実に行なうことができる。
【００４９】
ステップＳ５０６：  装置はステップＳ５０４で得た画像データのオーダーシートＢ部にある、各識別番号ごとのマークシート欄（２０５）を認識し、プリントを指定された枚数ｐ［ｋ］を識別番号ｋごとに得る。ある識別番号についてマークが行なわれていなければその識別番号に対するプリント枚数ｐ［ｋ］は０とする。
【００５０】
ステップＳ５０７：  識別番号全てについて、ステップＳ５０８以降の処理を行なうための初期化を行なう。ここでは、識別番号カウンタｉを１に初期化する（ｉ＝１）。
【００５１】
ステップＳ５０８：  識別番号カウンタｉの値が示す画像のプリント指定枚数（ｐ［ｉ］）が０であればステップＳ５０９へ、０でなければステップＳ５１１へ移行し、該当の画像の印刷を行なう（後述）。
【００５２】
ステップＳ５０９：  識別番号カウンタｉがｉ≦１２である間はステップＳ５１０に移行し、そうでない場合は処理を終了する。これは１２枚の画像を全部処理していない間はループ処理を続けるための判定である。
【００５３】
ステップＳ５１０：  識別番号カウンタｉを１だけインクリメント（ｉ＝ｉ＋１）してステップＳ５０８へ戻る。
【００５４】
ステップＳ５１１：  ステップＳ５０８で印刷枚数が０でない場合、ここで識別番号カウンタｉに対応するＩＤ：ｉｄ［ｉ］から、ステップＳ４０７で作成したＩＤテーブルを検索し、識別番号カウンタｉに対応する画像ファイルのファイルパスを得る。
【００５５】
ステップＳ５１２：  識別番号カウンタｉから得られるｐ［ｉ］の枚数だけ、ステップＳ５１１で得たパスから画像ファイルを読み出し、プリンタ４で記録出力させる。その後、ステップＳ５１０へ移行し、ループ処理を続ける。
【００５６】
以上の制御手順により、ユーザは従来のオーダーシートとほぼ同じ簡易な操作で、望みの画像を望みの枚数だけプリントすることができる。
【００５７】
本実施例によれば、従来のオーダーシートと異なり、オーダーシートＡ（第１のオーダーシート）にはユーザによるマークが行われていないため、オーダーシートＡは繰り返し再利用でき、ユーザはオーダーシートＢのみ再プリントしてそのオーダーシートＢ（第２のオーダーシート）にマークを行ってから、オーダーシートＡとともに装置に読み込ませることで、前と同じオーダーシートＡにサムネイルがある画像を容易に指定でき、再びプリントすることができる。すなわち、オーダーシートＡを何度でも使い回すことができるので、画像格納部に蓄積された画像が多くなった場合でも、ユーザが任意の画像をプリントしたいと思うごとに、蓄積された画像全てをサムネイルとして含む膨大な枚数のオーダーシートをプリントする必要はなくなり、ユーザは自分の欲しい画像のプリント出力を迅速に得ることができる、という優れた効果がある。
【００５８】
本実施例によれば、ユーザがプリントしたい画像のサムネイルが、以前にプリントしたオーダーシートＡにサムネイルが含まれてさえいれば、オーダーシートＢを１枚プリントするだけで、前回のオーダーシートＡを使い回してプリント指定を行なうことができる。また、装置に蓄積された画像が多い場合は、従来のように、ユーザが画像をプリントしたいと考えるたびに、蓄積画像全てを含むオーダーシートをプリントする必要がなく、資源と時間の節約が可能となる。
【００５９】
また、本実施例においては、オーダーシートＢ（第２のオーダーシート）はオーダーシートＡ上のサムネイル（あるいは対応の画像ファイル）を直接指定するような情報が含まれていないので、どのオーダーシートＡに対しても同じオーダーシートＢを共通に使用することができ、また、オーダーシートＢは必要な時に何枚でも記録出力できる。
【００６０】
なお、上記実施例では、オーダーシートＡのサムネイルとオーダーシートＢのマークシート欄の対応づけを、位置関係のみで行なっているが、もちろん他の手段によりオーダーシートＡのサムネイルとオーダーシートＢのマークシート欄の対応づけを行なってもよいのはいうまでもない。たとえば、オーダーシートＢのマークシート欄がオーダーシートＡの何番目のサムネイルに対応するかさえ決定できれば良いのであり、これに足る情報としてたとえばオーダーシートＡ上のサムネイルの位置を特定するバーコード情報などをオーダーシートＢにマークシート欄とともに記録するような構成も考えられ、その場合はオーダーシートＢのマークシート欄の位置の制約を緩めることができる。
【００６１】
ただし、オーダーシートＢには、オーダーシートＡ上のサムネイル（あるいは対応の画像ファイル）を直接指定するような情報を印刷しないようにしておくことが肝要であり、これによりオーダーシートの汎用性が保たれ、どのオーダーシートＡに対しても同じオーダーシートＢを共通に使用することができるようになる。
【産業上の利用可能性】
【００６２】
本発明は、画像処理装置の製品の名称（たとえば上記実施例におけるＭＦＰ（マルチファンクションプリンタ装置））などによって限定を受けることなく、画像読み取り手段と画像記録手段を有する種々の画像処理装置において実施することができる。本発明の制御プログラムは、画像処理装置の出荷時から画像処理装置のＲＯＭなどのメディアに格納しておく他、種々の外部記憶媒体（ＣＤＲＯＭ、フレキシブルディスクなど）からこれらの装置に供給することができ、あるいは任意のサーバからネットワーク経由で供給することもできる。
【図面の簡単な説明】
【００６３】
【図１】従来のＭＦＰで用いられるオーダーシートの例を示した説明図である。
【図２（ａ）】本発明で用いられるオーダーシートＡの構成を示した説明図である。
【図２（ｂ）】本発明で用いられるオーダーシートＢの構成を示した説明図である。
【図２（ｃ）】本発明で用いられるマーク済みのオーダーシートＢを示した説明図である。
【図３】本発明を採用したＭＦＰの制御系の構成を示したブロック図である。
【図４】本発明を採用したＭＦＰでオーダーシートＡを印刷する際の処理を示したフローチャート図である。
【図５】本発明において、オーダーシートＡおよびＢを用いて行なわれる印刷制御の様子を示したフローチャート図である。
【図６】本発明を採用したＭＦＰでオーダーシートＡとＢを読み取る際の、画像読み取り部へのオーダーシートＡおよびＢの配置を示した説明図である。
【符号の説明】
【００６４】
Ａ、Ｂ  オーダーシート
１  画像読み取り部
２  メモリ
３  ＣＰＵ
４  プリンタ
５  画像格納部
６  記録メディア
７  スロット
９  操作部
２０１  ＩＤバーコード
２０２  サムネイル
２０３  識別番号
２０５  マークシート欄
【図１】
2006167930.tif 000003
【図２（ａ）】
2006167930.tif 000004
【図２（ｂ）】
2006167930.tif 000005
【図２（ｃ）】
2006167930.tif 000006
【図３】
2006167930.tif 000007
【図４】
2006167930.tif 000008
【図５】
2006167930.tif 000009
【図６】
2006167930.tif 000010